(57)【要約】【課題】昇降装置本体の小型化を図ると共に、照明器具内にコードリールを効率よく収納できると共に、電線の取り回しを良好にすること。【解決手段】昇降装置本体１から照明器具８へ電源供給のための電線３が張り渡され、照明器具８内の環形ランプ５で囲まれた中央空間部９に照明器具８の昇降動作に合わせて電線３を巻き取り又は送出するためのコードリール１１を収納し、コードリール１１は電線３が出入りする電線導出入口１１ａを天井４側に向けた状態で電線３の巻き取り中心軸Ｍが水平となるように配置されている照明用昇降装置である。【選択図】図１
2008091154.tif 000002
【特許請求の範囲】
【請求項１】
天井に取り付けた昇降装置本体からワイヤで照明器具が吊り下げられ、ワイヤを昇降装置本体内に設けた回転ドラムで巻き取り又は送出することで、照明器具を昇降可能とする照明用昇降装置であって、前記昇降装置本体から前記照明器具へ電源供給のための電線が張り渡され、照明器具内の環形ランプで囲まれた中央空間部に照明器具の昇降動作に合わせて前記電線を巻き取り又は送出するためのコードリールを収納し、コードリールは電線が出入りする電線導出入口を天井側に向けた状態で電線の巻き取り中心軸が水平となるように配置されていることを特徴とする照明用昇降装置。
【請求項２】
前記電線の先端部に接続される電源取得用の電源プラグが昇降装置本体内に配置されると共に、天井に設置される配線器具の鉛直投影面内に前記電源プラグと前記コードリールの電線導出入口とが位置していることを特徴とする請求項１記載の照明用昇降装置。
【請求項３】
前記昇降装置本体内から前記電線が垂直に垂下するように前記コードリールの電線導出入口を配置したことを特徴とする請求項１又は２記載の照明用昇降装置。
【請求項４】
前記コードリールの電線導出入口を照明器具の重心付近に配置したことを特徴とする請求項１乃至３のいずれか一項に記載の照明用昇降装置。
【発明の詳細な説明】
【技術分野】
【０００１】
本発明は、照明用昇降装置に関するものである。
【背景技術】
【０００２】
この種の照明用昇降装置として、照明器具を昇降装置本体からワイヤで吊り下げ、ワイヤを駆動部で繰り出し巻き取りすることで、照明器具を昇降可能とする装置が知られている（例えば、特許文献１参照）。
【０００３】
ところで、昇降動作する照明器具に電源供給するためにコードリールのような巻き取り機構を用いる場合において、前記特許文献１に見られる従来では昇降装置本体側にコードリールを内蔵しているため、昇降装置本体に内蔵する部品点数が増加して大きくなるという課題があり、そのうえ従来では電線を下方に引き出すために電線の巻き取り中心軸が水平となるように、扁平円盤形のコードリールを立設されているため、昇降装置本体が上下に大型化するという課題もある。
【０００４】
そこで、本発明者らは本発明に至る過程で、図４に示すように、昇降装置本体１内においてワイヤ６を送出自在に巻き取る回転ドラム２の下方位置に、電線３の巻き取り中心軸Ｍが垂直となるようにコードリール１１を横設することで小型化を図る構造を考えた。ところが、この場合、コードリール１１の電線導出入口１１ａが横向きであるため、電線３を下方に垂下するためには昇降装置本体１内で電線３の導出入方向を滑車７を用いて９０°変えなければならず、電線３の取り回しが複雑になり、巻き取り動作もスムーズでなくなるという課題が生じる。
【特許文献１】特開平７−２１１１２７号公報
【発明の開示】
【発明が解決しようとする課題】
【０００５】
本発明は前記の従来の問題点に鑑みて発明したものであって、昇降装置本体の小型化を図ることができ、しかも照明器具の環形ランプで囲まれた中央空間部をコードリールの設置スペースとして有効利用することで照明器具が大きくなるのを防止でき、さらに電線の取り回しが良好となる照明用昇降装置を提供することを課題とし、さらに電線の巻き取り及び送出動作を一層スムーズに行なえると共に安定した昇降動作が行なえ、さらに昇降動作時の照明器具の傾きなどの不安定要因を排除できる照明用昇降装置を提供することを課題とするものである。
【課題を解決するための手段】
【０００６】
前記課題を解決するために本発明は、天井４に取り付けた昇降装置本体１からワイヤ６で照明器具８が吊り下げられ、ワイヤ６を昇降装置本体１内に設けた回転ドラム２で巻き取り又は送出することで、照明器具８を昇降可能とする照明用昇降装置であって、前記昇降装置本体１から前記照明器具８へ電源供給のための電線３が張り渡され、照明器具８内の環形ランプ５で囲まれた中央空間部９に照明器具８の昇降動作に合わせて前記電線３を巻き取り又は送出するためのコードリール１１を収納し、コードリール１１は電線３が出入りする電線導出入口１１ａを天井４側に向けた状態で電線３の巻き取り中心軸Ｍが水平となるように配置されていることを特徴としている。
【０００７】
このような構成とすることで、昇降装置本体１にはコードリール１１を内蔵しなくて済み、また、コードリール１１を照明器具８内における環形ランプ５で囲まれた中央空間部９に収納すると共に電線３の巻き取り中心軸Ｍが水平となるように配置したので、照明器具８の中央空間部９をコードリール１１の設置スペースとして有効利用できると共にコードリール１１の設置スペースを狭く設定できるようになる。そのうえ、コードリール１１の電線導出入口１１ａを天井４側に向けて配置することにより、電線３を昇降装置本体１側からコードリール１１に向かって真っ直ぐに張り渡すことができる。
【０００８】
また、前記電線３の先端部に接続される電源取得用の電源プラグが昇降装置本体１内に配置されると共に、天井４に設置される配線器具１４の鉛直投影面Ｌ内に前記電源プラグと前記コードリール１１の電線導出入口１１ａとが位置しているのが好ましく、この場合、電源プラグからコードリール１１の電線導出入口１１ａへ至る電線３経路が配線器具１４の鉛直投影面Ｌ内に位置することによって電線３の取り回しが一層良くなると共に、電線３の巻き取り及び送出動作がスムーズに行なえるようになる。
【０００９】
また、前記昇降装置本体１内から前記電線３が垂直に垂下するように前記コードリール１１の電線導出入口１１ａを配置するのが好ましく、この場合、昇降時に照明器具８に回転方向のねじり力が加わらず、安定した昇降動作が行なえることとなり、コードリール１１の巻き取り動作及び送出動作が一層スムーズに行なえるようになる。
【００１０】
また、前記コードリール１１の電線導出入口１１ａを照明器具８の重心付近に配置するのが好ましく、この場合、コードリール１１の電線導出入口１１ａが照明器具８の重心近傍に位置することで、各ワイヤ６に加わるコードリール１１の電線３の引き込み力が均等に近くなるため、照明器具８の傾きなどの不安定要因を排除できるようになる。
【発明の効果】
【００１１】
本発明にあっては、コードリールを昇降装置本体内に収納しなくて済むので、昇降装置本体の小型化を図ることができ、しかも、照明器具の環形ランプで囲まれた中央空間部にコードリールを収納すると共に電線の巻き取り中心軸が水平となるように配置したことにより、照明器具の中央空間部をコードリールの設置スペースとして有効利用できると共にコードリールの設置スペースを狭くでき、照明器具の大きさを変更する必要がなくなる。さらに、コードリールの電線が出入りする電線導出入口を天井側に向けたことにより、電線を昇降装置本体側と照明器具側天井側との間でほぼ真っ直ぐに張り渡すことができ、電線の取り回しが良好となる照明用昇降装置を提供できるものである。
【発明を実施するための最良の形態】
【００１２】
以下、本発明を添付図面に示す実施形態に基いて説明する。
【００１３】
図１は本発明の昇降装置本体１及び照明器具８をそれぞれ斜め下方から見た斜視図であり、図２は斜め下方から見た昇降装置本体１と斜め上方から見た照明器具８を示す図であり、図３は昇降装置本体１と照明器具８とに電線３（電源コード）を張り渡した状態を示す側面断面図である。
【００１４】
本発明の照明用昇降装置は、天井４に取り付けられる昇降装置本体１の外殻をなす本体ケーシング１０と、本体ケーシング１０に回転自在に支持される回転ドラム２（図４）と、回転ドラム２を回転駆動させるための駆動モーターと、回転ドラム２の外周部に巻回される３本のワイヤ６とを備えており、３本のワイヤ６の各一端部に照明器具８が取り付けられ、駆動モーターにより回転ドラム２が正回転して前記３本のワイヤ６が回転ドラム２に巴状に巻き取られ、又は駆動モーターにより回転ドラム２が逆回転して３本のワイヤ６が回転ドラム２から同時に送出されることで、照明器具８を昇降自在とするものである。
【００１５】
本体ケーシング１０は、図３に示すように、上ケース１０ａと、下ケース１０ｂとで構成される。上ケース１０ａの背面には断面Ｚ型の取付金具１２が配置され、取付金具１２の内端部がビス１３によって天井４に設置した引掛シーリングボディの外周から突出する複数の係止爪１５に対して固着されている。取付金具１２の外端部側には複数のビス孔１６が設けられ、このビス孔１６に対向して上ケース１０ａには複数の開口孔１７が形成され、下ケース１０ｂにはビス挿入孔１８が形成されており、下方からビス１９をビス挿入孔１８から開口孔１７を貫通して取付金具１２のビス孔１６にねじ締めすることによって、上ケース１０ａと下ケース１０ｂとが取付金具１２を介して引掛シーリングボディに一体に取り付けられている。
【００１６】
一方、照明器具８は、環形ランプ５で囲まれた中央空間部９にコードリール１１が収納される開口部２０が形成されている。本例では上下に貫通する開口部２０の背面を、ワイヤ穴２３及び電線穴２１を有する背面カバー２２で覆っている。
【００１７】
コードリール１１は、昇降動作する照明器具８に電源供給するための電線３を電線３に張力がかからないように巻き取る例えばぜんまい式巻き取り機構であり、扁平円盤形に形成されている。このコードリール１１は電線３の巻き取り中心軸Ｍが水平となるように立設した状態で前記照明器具８中央の開口部２０に収納されている。コードリール１１の外周上部には、図３に示すように、電線３を導出入自在に引き出す電線導出入口１１ａが設けられており、この電線導出入口１１ａは直上方に向けて配置されている。このコードリール１１の外周下部の複数箇所（例えば４箇所）にはボス２５が突設されており、照明器具８側には開口部２０の内側壁から下方に突出する略半円状の垂直取付枠２６が突設されており、この垂直取付枠２６にビス孔が穿設されており、コードリール１１の各ボス２５を垂直取付枠２６にビス２７で固着することで、コードリール１１が垂直取付枠２６を介して照明器具８中央の開口部２０に一体に取り付けられている。
【００１８】
前記コードリール１１に巻き取られる電線３の基端部は、コードリール１１の外部に引き出されて照明器具８に内蔵された点灯回路（図示せず）に接続されており、点灯回路から環形ランプ５のランプソケット（図示せず）に給電されるようになっている。コードリール１１の電線導出入口１１ａから引き出された電線３の先端部分は、照明器具８の背面カバー２２に設けた電線穴２１から上方に引き出されて天井４に設置した本体ケーシング１０内に張り渡される。ここでは、背面カバー２２の電線穴２１は、３本のワイヤ６を結ぶ三角形で囲まれた内側領域に位置しており、これにより３本のワイヤ６よりも内側位置に電線３が配置されている。一方、本体ケーシング１０の下面には、照明器具８の電線穴２１と対向する位置に電線穴２８が開口しており、電線３の先端部分が電線穴２８から本体ケーシング１０内に引き込まれている。本体ケーシング１０内には電源取得用の電源プラグ（引掛シーリングキャップ）が配置され、この電源プラグが天井４に設置される配線器具１４（引掛シーリングボディ）に抜き差し自在に接続されている。
【００１９】
ここでは、配線器具１４の鉛直投影面Ｌ（図３）内に電源プラグとコードリール１１の電線導出入口１１ａとが配置されており、さらに電線３が本体ケーシング１０から垂直に垂下するようにコードリール１１の電線導出入口１１ａが配置されている。つまり、本体ケーシング１０の電線穴２８の中心と照明器具８の電線穴２１の中心とコードリール１１の電線導出入口１１ａの中心とが鉛直方向に略一直線上に並ぶように配置されている。
【００２０】
しかして、コードリール１１を本体ケーシング１０内に収納しなくて済むので、本体ケーシング１０の小型化を図ることができ、また、コードリール１１を照明器具８内における環形ランプ５で囲まれた中央空間部９に収納すると共に電線３の巻き取り中心軸Ｍが水平となるようにコードリール１１を立設させたことにより、照明器具８の中央空間部９をコードリール１１の設置スペースとして有効利用でき、しかもコードリール１１の設置スペースを狭く設定でき、照明器具８の大きさを変更する必要がなくなる。そのうえ、コードリール１１の電線導出入口１１ａを天井４側に向けて配置することにより、従来のような滑車７（図４）による電線３の方向変換が不要となり電線３の取り回しが良好となるものである。また本例ではコードリール１１の電線導出入口１１ａが直上方に向くように配置されているので、照明器具８内のコードリール１１からの電線３の導出方向が真っ直ぐに垂直方向に向くようになり、電線３を本体ケーシング１０側からコードリール１１に向かって真っ直ぐに張り渡すことが可能となる。
【００２１】
また本例では、配線器具１４（引掛シーリングボディ）の鉛直投影面Ｌ内に電源プラグ（引掛シーリングキャップ）とコードリール１１の電線導出入口１１ａとが位置しているので、電源プラグから電線導出入口１１ａへ至る電線３経路の途中で電線３の方向転換の必要がなく電線３の取り回しが良好になると共に、電線３の巻き取り及び送出動作がよりスムーズに行なえるようになる。さらに本例では、電線３が本体ケーシング１０から垂直に垂下するようにコードリール１１の電線導出入口１１ａを配置しているので、本体ケーシング１０の電線穴２８からコードリール１１の電線導出入口１１ａに向かって電線３を垂直に垂下させることができるので、電線３の取り回しが良好になるだけでなく、昇降時に照明器具８に回転方向のねじり力が加わらず、安定した昇降動作が行なえるようになり、コードリール１１の巻き取り動作及び送出動作が、より一層、スムーズに行なえるようになる。
【００２２】
さらに他例として、コードリール１１の電線導出入口１１ａを照明器具８の重心付近に配置するのが望ましい。このようにコードリール１１の電線導出入口１１ａを照明器具８の重心近傍に位置させることにより、各ワイヤ６に加わるコードリール１１の電線３の引き込み力が均等に近くなるため、照明器具８の傾きなどの不安定要因を排除できる。つまり、コードリール１１に係る引っ張り力の作用点を照明器具８の重心（中央）に持ってくることにより、照明器具８のバランス崩れを最小限に抑えることができ、照明器具８の美感向上に寄与するものである。
【図面の簡単な説明】
【００２３】
【図１】本発明の一実施形態の昇降装置本体及び照明器具をそれぞれ斜め下方から見た斜視図である。
【図２】同上の斜め下方から見た昇降装置本体と斜め上方から見た照明器具とを示す図である。
【図３】同上の昇降装置本体と照明器具とに電線を張り渡した状態を説明する側面断面図である。
【図４】昇降装置本体内にコードリールを横向きに内蔵した場合を説明する参考図である。
【符号の説明】
【００２４】
１  昇降装置本体
２  回転ドラム
３  電線
４  天井
５  環形ランプ
６  ワイヤ
８  照明器具
９  中央空間部
１１  コードリール
１１ａ  電線導出入口
１４  配線器具
Ｌ  鉛直投影面
Ｍ  巻き取り中心軸
【図１】
2008091154.tif 000003
【図２】
2008091154.tif 000004
【図３】
2008091154.tif 000005
【図４】
2008091154.tif 000006